(57)【特許請求の範囲】
【請求項１】
寝床部の側縁に沿って設けられた柵において、両端部に回転軸が設けられた柵本体と、前記回転軸を介して前記柵本体を回転可能に支持する回転支持部と、前記柵本体に設けられた第１係合部と、前記回転支持部に設けられ前記第１係合部に係合可能の第２係合部と、を有し、前記第２係合部は孔又は切欠と、前記孔又は切欠から前記回転軸の長手方向にずれた位置であって回転軸の中心に対して９０°の中心角で偏倚した位置に他の孔又は切欠とを有し、前記第１係合部は、前記柵本体に固定された基部と、前記基部に対して一方向に往復移動可能に設けられたレバーと、このレバーに設けられ前記レバーの移動により前記孔又は切欠に進入しまた孔又は切欠から離脱可能のピン部材と、を有し、柵本体の起立状態において前記ピン部材は前記孔又は切欠内に進入し、前記柵本体をその回転軸方向に移動させた後、前記柵本体を回転させて、前記ピン部材を前記他の孔又は切欠内に進入させることにより、前記柵本体が水平状態に保持されることを特徴とする病院搬送用ストレッチャー等の柵。
【請求項２】
前記一方向に交差する方向に往復移動可能に設けられ第１の位置で前記レバーの前記第２係合部から離隔する方向の移動を阻止し第２の位置で前記レバーの前記第２係合部から離隔する方向の移動を許容する係止部材を有することを特徴とする請求項１に記載の病院搬送用ストレッチャー等の柵。
【請求項３】
前記ピン部材を前記第２係合部に向けて付勢する弾性部材を有することを特徴とする請求項１に記載の病院搬送用ストレッチャー等の柵。
【請求項４】
前記第１係合部は、前記柵本体に形成された係止突起を有し、前記係止部材が前記第１の位置に位置したときに、前記係止突起が前記係止部材を前記回転軸から遠ざかる方向に移動しないように係止し、前記レバーが前記回転軸から遠ざかる方向に移動しないように拘束することを特徴とする請求項１乃至３のいずれか１項に記載の病院搬送用ストレッチャー等の柵。
【請求項５】
寝床部の側縁に沿って設けられ、両端部に回転軸が設けられた柵本体と、前記回転軸を介して前記柵本体を回転可能に支持する回転支持部と、を有する病院搬送用ストレッチャー等の柵のロック機構において、前記柵本体に設けられた第１係合部と、前記回転支持部に設けられ前記第１係合部に係合可能の第２係合部と、を有し、前記第２係合部は孔又は切欠と、前記孔又は切欠から前記回転軸の長手方向にずれた位置であって回転軸の中心に対して９０°の中心角で偏倚した位置に他の孔又は切欠とを有し、前記第１係合部は、前記柵本体に固定された基部と、前記基部に対して一方向に往復移動可能に設けられたレバーと、このレバーに設けられ前記レバーの移動により前記孔又は切欠に進入しまた孔又は切欠から離脱可能のピン部材と、を有し、柵本体の起立状態において前記ピン部材は前記孔又は切欠内に進入し、前記柵本体をその回転軸方向に移動させた後、前記柵本体を回転させて、前記ピン部材を前記他の孔又は切欠内に進入させることにより、前記柵本体が水平状態に保持されることを特徴とする病院搬送用ストレッチャー等の柵のロック機構。
【発明の詳細な説明】
【技術分野】
【０００１】
本発明は、病院等の医療施設及び介護施設等で使用する患者搬送用のストレッチャー又はベッド等に設けられる落下防止用の柵に関し、特に、柵を回転させて寝床面より下方に退避させて、寝床面に対する患者の移乗を可能にすることが可能の病院搬送用ストレッチャー等の柵及びそのロック機構に関する。
【背景技術】
【０００２】
病院及び介護施設等において使用されるストレッチャーの柵は、ストレッチャーの寝床部上に横たわる患者が、寝床部から落下することを防止するために、寝床部の側縁に、この寝床部の側縁から起立するように設置されている。
【０００３】
また、この柵は、ストレッチャーの寝床部の側縁に起立した状態では、患者がストレッチャーから車椅子その他の椅子に移乗する際に、その動作を妨げるため、柵を寝床部から取り外すか、又は柵をベッドの長手方向に折り畳むか（特許文献１）、又は寝床部の側縁に平行の方向を回転軸として柵を回転させ、柵を寝床面より下方に垂れ下がらせることにより、寝床部の側縁から退避させる必要がある。
【０００４】
特許文献１においては、柵を構成する横枠を複数の支柱の上端部で支持するようにし、横枠と支柱の上端部とは回動可能であり、全ての支柱が倒れることにより、横枠が水平状態のまま降下するようになっている。そして、柵を起立状態に保持する場合には、横枠に上下動可能に設けたストッパの下端部に弾性支持されたピン部材を、支柱の上端部に設けた受け部材の嵌合孔内に上方から挿入して、横枠のストッパを支柱の受け部材で拘束し、横枠と支柱とが相対的に回動しないようにこれらを係止して、支柱が倒れないようにしている。ストッパは、横枠に対して水平に移動可能に設けられたダブルストッパの下面に設けた突起部を、ストッパの上面に設けた突起部に整合させることにより、上方に移動しないように拘束されており、これにより、ストッパと受け部材との相互拘束状態が解除されないようになっている。また、作業者がダブルストッパを水平に移動させた場合には、ダブルストッパによるストッパの拘束（突起部同士の接触）が外れて、ストッパが上方に移動可能となり、従って、ストッパのピン部材が、受け部材の嵌合孔から離脱し、横枠が支柱に対して相対的に回動可能になる。これにより、支柱は倒れることができ、全ての支柱が倒れることにより、横枠が水平に下降し、柵が折り畳まれる。
【０００５】
しかしながら、この特許文献１に記載されたストレッチャーの柵は、複数個の支柱を倒すことにより、横枠を下降させて、支柱を折り畳むタイプのものであるため、折り畳んだ状態でも、ストレッチャーの側縁に若干の高さをもって残存し、患者がストレッチャーから移乗する際に、邪魔となる。
【０００６】
一方、柵をストレッチャーの側縁に平行の回転軸の回りに回転させて、移乗時に回転軸から垂れ下がるようにした場合は、患者がストレッチャーから車椅子等に移乗する際に、柵が邪魔になることはない。
【０００７】
図９及び図１０は、回転するタイプの柵を示す図であり、図９が柵がストレッチャー側縁で起立して柵としての使用状態、図１０が柵を回転させようとする動作状態を示す。ストレッチャーの寝床部１の側縁に、回転軸支持部３がその姿勢を水平にして固定配置されている。柵２の右端部には、回転軸４がその長手方向を水平にして柵２から突出するようにして設けられており、この回転軸４が回転軸支持部３の水平孔に挿入されて、柵２が水平軸の回りに回転可能に回転軸支持部３に支持されている。回転軸支持部３には、凹部６が形成され、柵２の右端部には突起５が設けられている。そして、柵２は、この回転軸支持部３の反対側の端部（左端部）が、同様の回転軸支持部により水平軸の回りに回転可能に支持されており、更に圧縮バネ（図示せず）により、柵２は右方に向けて付勢されている。
【０００８】
このため、図９に示すように、突起５が凹部６に嵌合している状態では、柵２は回動せず、起立状態を保持している。一方、柵２を回動させて退避させる場合は、図１０に示すように、圧縮バネの付勢力に抗して、柵２をその他端部（左端部）側にスライド移動させ、突起５を凹部６から離脱させる。この状態で、柵２を手前に回動させて回転軸支持部３から下方に垂れ下がるようにすることにより、柵２が寝床部１より下方に移動し、患者の移乗が可能になる。
【０００９】
【特許文献１】特許第３０２９０２６号
【発明の開示】
【発明が解決しようとする課題】
【００１０】
しかしながら、上述の図９及び図１０に示す従来技術においては、柵２を図上の左方にスライドさせるだけで、柵２の回動が可能になるため、患者又は介護者が誤動作させてしまう虞がある。
【００１１】
本発明はかかる問題点に鑑みてなされたものであって、柵の起立及び退避を誤操作することなく確実に実行することができる病院搬送用ストレッチャー等の柵及びそのロック機構を提供することを目的とする。
【課題を解決するための手段】
【００１２】
本発明に係る病院搬送用ストレッチャー等の柵は、寝床部の側縁に沿って設けられた柵において、両端部に回転軸が設けられた柵本体と、前記回転軸を介して前記柵本体を回転可能に支持する回転支持部と、前記柵本体に設けられた第１係合部と、前記回転支持部に設けられ前記第１係合部に係合可能の第２係合部と、を有し、前記第２係合部は孔又は切欠と、前記孔又は切欠から前記回転軸の長手方向にずれた位置であって回転軸の中心に対して９０°の中心角で偏倚した位置に他の孔又は切欠とを有し、前記第１係合部は、前記柵本体に固定された基部と、前記基部に対して一方向に往復移動可能に設けられたレバーと、このレバーに設けられ前記レバーの移動により前記孔又は切欠に進入しまた孔又は切欠から離脱可能のピン部材と、を有し、柵本体の起立状態において前記ピン部材は前記孔又は切欠内に進入し、前記柵本体をその回転軸方向に移動させた後、前記柵本体を回転させて、前記ピン部材を前記他の孔又は切欠内に進入させることにより、前記柵本体が水平状態に保持されることを特徴とする。
【００１３】
また、前記一方向に交差する方向に往復移動可能に設けられ第１の位置で前記レバーの前記第２係合部から離隔する方向の移動を阻止し第２の位置で前記レバーの前記第２係合部から離隔する方向の移動を許容する係止部材を有することが好ましい。更に、前記ピン部材を前記第２係合部に向けて付勢する弾性部材を有することが好ましい。
【００１４】
更に、前記第１係合部は、前記柵本体に形成された係止突起を有し、前記係止部材が前記第１の位置に位置したときに、前記係止突起が前記係止部材を前記回転軸から遠ざかる方向に移動しないように係止し、前記レバーが前記回転軸から遠ざかる方向に移動しないように拘束することが好ましい。
【００１５】
本発明に係る病院搬送用ストレッチャー等の柵のロック機構は、寝床部の側縁に沿って設けられ、両端部に回転軸が設けられた柵本体と、前記回転軸を介して前記柵本体を回転可能に支持する回転支持部と、を有する病院搬送用ストレッチャー等の柵のロック機構において、前記柵本体に設けられた第１係合部と、前記回転支持部に設けられ前記第１係合部に係合可能の第２係合部と、を有し、前記第２係合部は孔又は切欠と、前記孔又は切欠から前記回転軸の長手方向にずれた位置であって回転軸の中心に対して９０°の中心角で偏倚した位置に他の孔又は切欠とを有し、前記第１係合部は、前記柵本体に固定された基部と、前記基部に対して一方向に往復移動可能に設けられたレバーと、このレバーに設けられ前記レバーの移動により前記孔又は切欠に進入しまた孔又は切欠から離脱可能のピン部材と、を有し、柵本体の起立状態において前記ピン部材は前記孔又は切欠内に進入し、前記柵本体をその回転軸方向に移動させた後、前記柵本体を回転させて、前記ピン部材を前記他の孔又は切欠内に進入させることにより、前記柵本体が水平状態に保持されることを特徴とする。
【発明の効果】
【００１６】
本発明によれば、柵本体の起立状態においては、第１係合部のピン部材が第２係合部の孔又は切欠内に侵入して、第１係合部と第２係合部とが係合して、相互に拘束し合うので、柵本体は寝床部の側縁で起立した状態を保持する。一方、柵本体の水平状態においては、柵本体をその回転軸方向に移動させた後、前記柵本体を回転させて、前記ピン部材を前記他の孔又は切欠内に進入させることにより、前記柵本体が水平状態に保持される。このため、柵本体を下方に退避させる（格納する）ために、柵本体を回転させる際に、誤って柵本体が水平状態に保持されてしまうことが防止される。柵本体は、回転軸方向に一旦移動させた後、回転させることにより、ピン部材が他の孔又は切欠に進入して水平状態に保持される。
【００１７】
また、柵本体を回転させて下方に退避させる場合には、係止部材を例えば横方向（一方向に交差する方向）に移動させて第２の位置に位置させると、レバーの上方向（一方向）への移動が可能となり、レバーに設けられたピン部材が前記孔又は切欠から抜けて前記第１係合部と前記第２係合部との係合が外れ、柵本体が回転軸の回りに回転可能となる。これにより、柵本体を下方に倒して、寝床部上から退避させることができる。
【００１８】
更に、本発明においては、柵本体の回転は、係止部材を横方向に移動させた後、レバーを上方に移動させることにより可能となるため、介護者又は患者が誤って第１及び第２係合部に触れたとしても、それだけで柵本体が回転することはなく、誤操作による柵本体の回転を防止することができる。
【発明を実施するための最良の形態】
【００１９】
以下、本発明の実施形態について添付の図面を参照して具体的に説明する。図１乃至図３は本発明の実施形態に係る柵を備えたストレッチャーを示す斜視図である。ストレッチャー１０は、水平の寝床部１１が昇降装置１５により昇降可能に設置されており、また、寝床部１１の４隅部に配置された車輪１４により、任意の方向に移動することができるようになっている。このストレッチャー１０の寝床部１１の側縁には、柵２０が設置されている。この柵２０は、両端部に夫々長手方向に延びる回転軸２２，２３が設けられた柵本体２１と、ストレッチャー１０の寝床部１１の側縁の近傍に設置され、回転軸２２，２３を軸支して柵本体２１を回転可能に支持する回転支持部１２，１３とを有する。そして、柵本体２１の一方の端部の回転軸２２，回転支持部１２側に、第１係合部及び第２係合部からなるロック機構３０が設置されている。また、図４に示すように、柵本体２１の他方の端部の回転軸２３は、回転支持部１３に設けた寝床部長手方向に平行の水平孔内に挿入されており、回転軸２３が回転支持部１３内でその軸方向（長手方向）に移動することができるようになっており、これにより、柵本体２１は寝床部１１の長手方向に若干スライドすることができるようになっている。なお、後述するように一方の端部側の回転軸２２も回転支持部１２内の水平孔内に挿入され、回転支持部１２内で回転軸２２の長手方向に移動することができるようになっている。そして、他方の端部側の回転軸２３には、圧縮バネ１６が外嵌されており、この圧縮バネ１６により、柵本体２１が一方の端部側（回転支持部１２側）に付勢されるようになっている。
【００２０】
そして、回転支持部１２側には、ロック機構３０が設けられており、このロック機構３０により、柵本体２１は、図１に示す起立状態、図２に示す水平状態、図３に示す回転軸から垂れ下がった退避状態を保持することができる。この図１に示す起立状態は、病院、医療施設及び介護施設等で使用する患者搬送用のストレッチャーの患者落下防止用の側柵として機能する。また、図２に示す水平状態は、診察台及び搬送用ストレッチャー等において、点滴輸液及び処置等に使用する上肢台として機能する。更に、図３に示す退避状態は、寝床部上の患者が車椅子等に移乗する際に柵が邪魔にならないように退避させるモードである。このような３種の状態は、ロック機構３０により、その状態に固定される。ロック機構３０は柵本体２１に設けられた第１係合部３１と、回転支持部１２に設けられた第２係合部３２とを有する。
【００２１】
図５及び図６は、柵が起立状態にあるときのロック機構３０の構造を示す図であり、（ａ）は斜視図、（ｂ）は正面図である。また、図７は、このロック機構３０の一部を分解した状態を示す斜視図である。更に、図８は、柵が水平状態にあるときのロック機構３０の構造を示す図であり、（ａ）は斜視図、（ｂ）は平面図である。柵本体２１の一方の端部に設けられた取付部２４には、第１係合部３１の基部４１が固定されている。この基部４１には、レバー４２が外嵌されており、レバー４２は基部４１に沿って若干上下動するようになっている。そして、この基部４１内には、その中心部に図５乃至図７において上下方向に延びる孔が設けられており、この孔内にピン部材４３が配置されている。この基部４１の孔は、回転軸２２の中心線に対して垂直に交差する方向に延びており、ピン部材４３もその長手方向が回転軸２２の中心線に対して垂直になるように前記孔内にその長手方向に移動可能に収納されている。ピン部材４３の途中には、フランジ４８が形成されており、このピン部材４３には、基部４１の前記孔内で、圧縮コイルバネ４５が外嵌されている。この圧縮コイルバネ４５はピン部材４３のフランジ４８と基部４１の前記孔の上端との間に介装されており、ピン部材４３を基部４１から回転軸２２側に向けて突出する方向に付勢している。このピン部材４３は、レバー４２に固定されている。例えば、レバー４２に孔を穿設し、この孔を介してピン部材４３をスプリングピンにより固定することができる。
【００２２】
レバー４２には、凹部５０が形成されており、この凹部５０に対し、係止部材４４が回転軸２２に平行の方向に嵌入されるようになっている。そして、係止部材４４は、この凹部５０内で、回転軸２２に平行の方向に往復移動可能になっており、係止部材４４の取付部２４側の部分は、取付部２４に向けて延出する延出部４６となっている。また、取付部２４にはそのレバー４２に対向する部分に、係止突起４７が形成されており、図５に示すように、係止部材４４が取付部２４に最も近い位置（第１位置）に位置したときに、延出部４６の上端縁が係止突起４７の下端縁に係止されて、係止部材４４及びこの係止部材４４が嵌合したレバー４２が回転軸２２から遠ざかる方向（図示例で上方）に移動することが阻止されるようになっている。
【００２３】
一方、回転支持部１２には、第２係合部３２が設けられている。この第２係合部３２は、回転支持部１２に固定された円筒状の円筒部５１を有する。この円筒部５１には、その上端部における幅方向の中央に、ピン部材４３が挿入される孔５２（図８参照）が形成されており、この孔５２をとおる円周線上は、ピン部材４３の先端部が摺動する摺動部５３となっている。なお、ピン部材４３の先端部には、摺動抵抗が低くなる物質（例えば、テフロン（登録商標））がコーティングされているが、ピン部材４３の摺動による円筒部５１の局部的な磨耗による溝の形成を防止するために、摺動部５３は他の部分より若干盛り上げて形成されている。また、円筒部５１には、孔５２に対して回転軸２２の中心に対する中心角で９０°手前側に回転した位置であって、円筒部５１の幅方向の柵本体２１側の部分に、切欠５４が形成されている（図５，図６参照）。
【００２４】
次に、上述の如く構成された本実施形態のストレッチャー等の柵の動作について説明する。図５に示すように、柵本体２１が起立した状態で、係止部材４４は最も柵本体２１の取付部２４側の位置（第１位置）に位置しており、係止部材４４はその延出部４６が取付部２４に形成された係止突起４７に係止されて、回転軸２２から離隔する方向には移動できない。従って、レバー４２も回転軸２２から離隔する方向には移動できない。このため、レバー４２に設けられたピン部材４３は、第２係合部３２の円筒部５１の上端孔５２（図８）内に挿入されている。これにより、柵本体２１側のピン部材４３が回転支持部１２側の円筒部５１の孔５２内に挿入されていることにより、柵本体２１は起立状態を保持する。このピン部材４３の孔５２内への挿入状態は、レバー４２の移動と、係止部材４４の移動とを経なければ外れないので、二重にロックされており、誤操作により、ロック状態が解除されて柵本体が回転してしまうことが確実に防止される。
【００２５】
また、圧縮コイルバネ４５がピン部材４３を回転軸２２の中心線側に向けて付勢しているので、柵本体２１を起こして、図１に示す起立状態にする際には、ピン部材４３の先端が摺動部５３上を摺動して孔５２に近づき、更に孔５２に整合したときに、圧縮コイルバネ４５の付勢力によりピン部材４３が孔５２内に確実に挿入される。このとき、操作者は、レバー４２を回転軸２２から遠ざかる方向に持ち上げている必要はない。よって、柵本体２１を起こす動作をするだけで、確実に、柵本体２１は起立状態に保持される。
【００２６】
一方、柵本体２１を図３に示す退避状態にしたい場合には、図６に示すように、係止部材４４を取付部２４から遠ざかる方向に移動させる。これにより、係止部材４４の延出部４６が係止突起４７により係止状態から外れるので、レバー４２を基部４１に対して相対的に上方に移動させる。これにより、レバー４２に設けられたピン部材４３が円筒部５１の孔５２内から離脱し、基部４１が円筒部５１に対して、相対的に移動することが可能となる。その後、レバー４２を手放して、柵本体２１を回転させればよい。従って、基部４１が固定された柵本体２１が、円筒部５１が固定された回転支持部１２に対して回転することが可能となり、柵本体２１を回転させて、図３に示す退避状態にすることができる。
【００２７】
一方、柵本体２１を水平状態に固定して上肢台として機能させたい場合は、係止部材４４を第２位置側に移動させて、係止部材４４の延出部４６の係止突起４７による係止状態を解除する。次いで、レバー４２を上方に持ち上げて、ピン部材４３を孔５２から離脱させ、回転支持部１２による柵本体２１の拘束を解除する。次に、図８に示すように、柵本体２１を回転支持部１２から遠ざかる方向に、即ち他端部側の回転支持部１３側に押す。柵本体２１自体は、圧縮コイルバネ１６により、回転支持部１２側に向けて付勢されているので、この付勢力に抗して柵本体２１を押すことにより、図８に示すように、基部４１と円筒部５１との相対的な関係は、回転軸２２の長手方向にずれたものとなり、基部４１内のピン部材４３の先端は、円筒部５１における柵本体２１側の部分を摺動することになる。このため、柵本体２１が水平状態まで回転してきたときに、ピン部材４３は円筒部５１の切欠５４内に圧縮コイルバネ４５の付勢力により進入する。この状態で、レバー４２及び係止部材４４の移動が阻止されるため、誤操作で、ロック解除状態になることはなく、柵本体２１は確実に水平状態に保持される。
【００２８】
この場合も、ロックの解除は、先ず、係止部材４４を取付部２４から離隔する方向に移動させ、その後、レバー４２を回転軸２２から遠ざかる方向に移動させればよい。
【００２９】
なお、上述の説明から明らかなように、柵本体２１を起立状態から退避状態に移す際には、係止部材４４を移動させ、レバー４２を上方に移動させてピン部材４３を孔５２から離脱させるだけで、柵本体２１を一挙に下端部の退避状態まで回転させることができる。即ち、柵本体２１を水平状態で停止させることなく、単に柵本体２１を回転させるだけで、これを下端部の退避状態まで移動させることができる。
【００３０】
また、柵本体２１を水平状態に固定したい場合は、係止部材４４を取付部２４から遠ざかる方向に移動させ、レバー４２を上方に移動させた状態で、柵本体を他端部側に向けて押すだけで、その後、柵本体２１を回転させれば、極めて簡単に柵を水平状態に設置して、上肢台として機能させることができる。
【００３１】
なお、上述の実施形態における圧縮コイルバネ４５は必ずしも必要ではない。しかし、この圧縮コイルバネ４５を設けることにより、ピン部材４３が確実に孔５２又は切欠５４内に挿入される。
【００３２】
なお、上記ロック機構付きの柵は、必ずしも、寝床部の両側縁に設ける必要はなく、もっぱら患者が移乗するために利用する側縁側に設けるだけでもよい。また、柵自体を寝床部の両側縁に設けることも、必ずしも必要ではない。
【００３３】
また、上記実施形態においては、第２係合部は、円筒部５１の幅方向の中央に孔５２を有し、円筒部５１の取付部２４側の位置に切欠５４を有するが、孔５２の代わりに、円筒部５１の取付部２４の反対側の位置に切欠を設けることもでき、また、切欠５４の代わりに、孔を設けることも可能である。
【図面の簡単な説明】
【００３４】
【図１】本発明の実施形態に係る柵を備えたストレッチャーを示す斜視図であり、柵が起立した状態を示す斜視図である。
【図２】本発明の実施形態に係る柵を備えたストレッチャーを示す斜視図であり、柵が水平状態にある状態を示す斜視図である。
【図３】本発明の実施形態に係る柵を備えたストレッチャーを示す斜視図であり、柵が下方に退避した状態を示す斜視図である。
【図４】同じく、柵の反対側の端部を示す斜視図である。
【図５】柵が起立状態にあるときのロック機構３０の構造（ロック状態）を示す図であり、（ａ）は斜視図、（ｂ）は正面図である。
【図６】柵が起立状態にあるときのロック機構３０の構造（ロック解除状態）を示す図であり、（ａ）は斜視図、（ｂ）は正面図である。
【図７】このロック機構３０の一部を分解した状態を示す斜視図である。
【図８】柵が水平状態にあるときのロック機構３０の構造を示す図であり、（ａ）は斜視図、（ｂ）は平面図である。
【図９】従来のロック機構（ロック状態）を示す斜視図である。
【図１０】従来のロック機構（ロック解除状態）を示す斜視図である。
【符号の説明】
【００３５】
１    寝床部
２    柵
３    支持部
４    回転軸
５    突起
６    凹部
１０    ストレッチャー
１１    寝床部
１２、１３    回転支持部
１４    車輪
１５    昇降装置
１６    圧縮コイルバネ
２０    柵
２１    柵本体
２２、２３    回転軸
２４    取付部
３０    ロック機構
３１    第１係合部
３２    第２係合部
４１    基部
４２    レバー
４３    ピン部材
４４    係止部材
４５    コイルバネ
４６    延出部
４７    係止突起
４８    フランジ
５０    凹部
５１    円筒部
５２    孔
５３    摺動部
５４    切欠
【図１】
0004920558.tif 000002
【図２】
0004920558.tif 000003
【図３】
0004920558.tif 000004
【図４】
0004920558.tif 000005
【図５】
0004920558.tif 000006
【図６】
0004920558.tif 000007
【図７】
0004920558.tif 000008
【図８】
0004920558.tif 000009
【図９】
0004920558.tif 000010
【図１０】
0004920558.tif 000011